(57)【要約】【課題】より簡素な構成でありながらも、不定電流に起因する誤動作の発生を低減することのできる電源回路を提供する。【解決手段】誤動作防止回路部５０は、イグニッションスイッチＩＧＳＷのスイッチ状態を監視する電源スイッチ監視回路部として抵抗素子５１と、ＮＰＮトランジスタ１４３（第２スイッチング素子）とＧＮＤ電位との間に介在する第１防止回路部としてＮＰＮトランジスタ５３を含んで構成される。イグニッションスイッチＩＧＳＷがオンからオフにされるとき、不定電流ｉ２のＧＮＤ電位への流路を不定電流ｉ２の発生前に電気的に遮断することで、不定電流ｉ２をそもそも発生させない。【選択図】図１
2009189162.tif 000002
【特許請求の範囲】
【請求項１】
電源から給電を常時受ける第１給電路と該第１給電路によって給電される第１給電対象との間に介在し、第１給電路の電圧を第１電圧に調整する第１定電圧回路部と、
電源スイッチがオンであるときにのみ前記電源から給電を受ける第２給電路と該第２給電路によって給電される第２給電対象との間に介在し、前記電源の電圧が所定の判定値を下回るとき、第２給電路の電圧を第１電圧よりも高い第２電圧に調整する第２定電圧回路部と、
第１給電路及び第２給電路を接続する第３給電路の途中に設けられる第１スイッチング素子と、
前記電源スイッチがオンであって、前記電源の電圧が前記所定値を下回るとき、第１スイッチング素子をオンとすることによって第３給電路を導通し、第２給電路及び導通した第３給電路によって第１給電対象に給電する給電路制御回路部と、
前記電源スイッチがオフとされるとき、前記給電路制御回路部内で発生する不定電流に起因して第１スイッチング素子がオンとされ、第１給電路によって第２給電対象を給電する当該電源回路の誤動作を防止する誤動作防止回路部とを備える電源回路であって、
前記誤動作防止回路部は、前記電源スイッチのスイッチ状態の監視に基づいて、前記不定電流のＧＮＤ電位への流路を前記不定電流の発生前に電気的に遮断することを特徴とする電源回路。
【請求項２】
前記給電路制御回路部は、第１給電路によって給電されつつ、前記電源スイッチのスイッチ状態に連動して駆動され、一定電流を生成出力する定電流回路部と、前記定電流回路から一定電流の供給を受けて、前記電源の電圧が所定の判定値を下回るとき、第１スイッチング素子をオンとするための第２スイッチング素子に制御電流を出力する第１比較器とを含んで構成され、
前記誤動作防止回路部は、前記電源スイッチのスイッチ状態を監視する電源スイッチ監視回路部と、第２スイッチング素子とＧＮＤ電位との間に介在する第１防止回路部とを含んで構成されることを特徴とする請求項１に記載の電源回路。
【請求項３】
前記給電路制御回路部は、第１給電路によって給電されつつ、前記電源スイッチのスイッチ状態に連動して駆動され、一定電流を生成出力する定電流回路部と、前記定電流回路から一定電流の供給を受けて、前記電源の電圧が所定の判定値を下回るとき、第１スイッチング素子をオンとするための第２スイッチング素子に制御電流を出力する第１比較器とを含んで構成され、
前記誤動作防止回路部は、前記電源スイッチのスイッチ状態を監視する電源スイッチ監視回路部と、第１比較器と第２スイッチング素子との間に介在する第２防止回路部とを含んで構成されることを特徴とする請求項１または２に記載の電源回路。
【請求項４】
第１防止回路部及び第２防止回路部は、トランジスタ素子もしくはアナログスイッチであることを特徴とする請求項２または３に記載の電源回路。
【請求項５】
電源から給電を常時受ける第１給電路と該第１給電路によって給電される第１給電対象との間に介在し、第１給電路の電圧を第１電圧に調整する第１定電圧回路部と、
電源スイッチがオンであるときにのみ前記電源から給電を受ける第２給電路と該第２給電路によって給電される第２給電対象との間に介在し、前記電源の電圧が所定の判定値を下回るとき、第２給電路の電圧を第１電圧よりも高い第２電圧に調整する第２定電圧回路部と、
第１給電路及び第２給電路を接続する第３給電路の途中に設けられる第１スイッチング素子と、
前記電源スイッチがオンであって、前記電源の電圧が前記所定の判定値を下回るとき、第１スイッチング素子をオンとすることによって第３給電路を導通し、第２給電路及び導通した第３給電路によって第１給電対象に給電する給電路制御回路部と、
前記電源スイッチがオフとされるとき、前記給電路制御回路部内で発生する不定電流に起因して第１スイッチング素子がオンとされ、第１給電路によって第２給電対象を給電する当該電源回路の誤動作を防止する誤動作防止回路部とを備える電源回路であって、
前記誤動作防止回路部は、前記電源スイッチのスイッチ状態の監視に基づいて、前記不定電流の発生前に第３給電路を電気的に遮断することを特徴とする電源回路。
【請求項６】
前記給電路制御回路部は、第１給電路によって給電されつつ、前記電源スイッチのスイッチ状態に連動して駆動され、一定電流を生成出力する定電流回路部と、前記定電流回路から一定電流の供給を受けて、前記電源の電圧が所定の判定値を下回るとき、第１スイッチング素子をオンとするための第２スイッチング素子に制御電流を出力する第１比較器とを含んで構成され、
前記誤動作防止回路部は、前記電源スイッチのスイッチ状態を監視する電源スイッチ監視回路部と、第１スイッチング素子よりも第１給電路側の第３給電路に設けられる第３防止回路部とを含んで構成されることを特徴とする請求項５に記載の電源回路。
【請求項７】
前記給電路制御回路部は、第１給電路によって給電されつつ、前記電源スイッチのスイッチ状態に連動して駆動され、一定電流を生成出力する定電流回路部と、前記定電流回路から一定電流の供給を受けて、前記電源の電圧が所定の判定値を下回るとき、第１スイッチング素子をオンとするための第２スイッチング素子に制御電流を出力する第１比較器とを含んで構成され、
前記誤動作防止回路部は、前記電源スイッチのスイッチ状態を監視する電源スイッチ監視回路部と、第１スイッチング素子よりも第２給電路側の第３給電路に設けられる第４防止回路部とを含んで構成されることを特徴とする請求項５または６に記載の電源回路。
【請求項８】
第３防止回路部及び第４防止回路部は、トランジスタ素子もしくはアナログスイッチであることを特徴とする請求項６または７に記載の電源回路。
【発明の詳細な説明】
【技術分野】
【０００１】
本発明は、例えば主制御部（メインマイコン）及び副制御部（サブマイコン）を有する電子制御装置に駆動電源を供給する電源回路に関する。
【背景技術】
【０００２】
この種の電源回路として、例えば特許文献１に記載の技術が知られている。この文献に記載の技術を含め、従来一般に知られている電源回路について、図７及び図８を参照して説明する。なお、図７は、従来一般に知られている電源回路について、その全体構成の一例を示す等価回路図である。
【０００３】
図７に示すように、従来の電源回路１００は、例えば「１４［Ｖ］」の直流電圧を生成出力するバッテリ（電源）Ｂから給電を常時受ける第１給電路Ｌ１と第１給電路Ｌ１によって給電される副制御部（サブマイコン）１０との間に介在し、第１給電路Ｌ１の電圧を第１電圧に調整する第１定電圧回路部１１０を備える。
【０００４】
詳しくは、第１定電圧回路部１１０は、図示を割愛しているがバッテリＢの電圧に基づき例えば「１［Ｖ］」の直流電圧を生成するとともにオペアンプ１１０ｂの非反転入力端子に接続される定電圧源１１０ａ、反転入力端子に接続された抵抗素子によって増幅率が例えば「５倍」に設定されたオペアンプ１１０ｂ、及び、オペアンプ１１０ｂの出力端子がベースに、第１給電路Ｌ１が抵抗素子を介してコレクタに、副制御部１０がエミッタに各々接続されたＮＰＮトランジスタ１１０ｃを有する。このように構成されることで、定電圧回路部１１０は、通常、接続点Ｐａにおける電圧（第１電圧）が「５．０［Ｖ］」となるように調整している。
【０００５】
また、電源回路１００は、イグニッションスイッチ（電源スイッチ）ＩＧＳＷがオンであるときにのみバッテリＢから給電を受ける第２給電路Ｌ２とこの第２給電路Ｌ２によって給電される主制御部（メインマイコン）２０との間に介在し、第２給電路Ｌ２の電圧を第１電圧よりも高い第２電圧に調整する第２定電圧回路部とを備える。
【０００６】
詳しくは、第２定電圧回路部１２０は、第１定電圧回路部１１０と同様に、図示を割愛しているがバッテリＢの電圧に基づき例えば「１［Ｖ］」の直流電圧を生成するとともにオペアンプ１２０ｂの非反転入力端子に接続される定電圧源１２０ａ、反転入力端子に接続された抵抗素子によって増幅率が例えば「５倍」に設定されたオペアンプ１２０ｂ、及び、オペアンプ１２０ｂの出力端子がベースに、第２給電路Ｌ２が抵抗素子を介してエミッタに、主制御部（メインマイコン）２０がコレクタに各々接続されたＰＮＰトランジスタ１２０ｃを有する。このように構成されることで、定電圧回路部１２０は、通常、接続点Ｐｂにおける電圧（第２電圧）が「５．０［Ｖ］」となるように調整している。
【０００７】
ここで、例えばイグニッションスイッチＩＧＳＷがオンとされた上で、図示しないスタータモータがオンとされると、バッテリＢからスタータモータに大電流が供給されるため、バッテリＢの電圧及びＶＢ電圧が「５．０［Ｖ］」付近まで一時的に急激に低下する。このとき、第１定電圧回路部１１０は、接続点Ｐａにおける電圧を「５．０［Ｖ］」に調整することができなくなり、上記ＮＰＮトランジスタ１１０ｃのベース−エミッタ電圧を「Ｖｂｅ」とすると、接続点Ｐａにおける電圧は「ＶＢ電圧−Ｖｂｅ」となってしまう。同様に、第２定電圧回路部１２０は、接続点Ｐｂにおける電圧を「５．０［Ｖ］」に調整することができなくなり、上記ＰＮＰトランジスタ１２０ｃのコレクタ−エミッタ電圧を「Ｖｃｅ」とすると、接続点Ｐｂにおける電圧は「ＶＢ電圧−Ｖｃｅ」となってしまう。なお、「Ｖｂｅ＞Ｖｃｅ」という関係が一般に成立するため、接続点Ｐａにおける電圧「ＶＢ電圧−Ｖｂｅ」は、接続点Ｐｂにおける電圧「ＶＢ電圧−Ｖｃｅ」よりも低くなる。したがって、イグニッションスイッチＩＧＳＷがオンとされ、且つ、スタータモータがオンとされると、低下したバッテリＢの電圧よりもさらに低い接続点Ｐａにおける電圧によって副制御部１０に電流が供給されるため、副制御部１０の動作に影響を与えるおそれがある。
【０００８】
そこで、電源回路１００は、図７に示すように、第１給電路Ｌ１及び第２給電路Ｌ２を接続する第３給電路Ｌ３の途中に設けられ、オンとされるときにのみこれら第１給電路Ｌ１及び第２給電路Ｌ２を電気的に接続するＰＮＰトランジスタ（第１スイッチング素子）１３０を備える。すなわち、イグニッションスイッチＩＧＳＷがオンとされるとき、ＰＮＰトランジスタ１３０にベース電流を流すことで、第１給電路Ｌ１及び第２給電路Ｌ２を第３給電路Ｌ３によって電気的に接続し、接続点Ｐａにおける電圧よりも高い接続点Ｐｂにおける電圧によって副制御部１０に電流を供給することで、副制御部１０の動作に与える影響を低減している。
【０００９】
そして、このようにＰＮＰトランジスタ１３０のオンオフを制御するべく、電源回路１００は、定電流回路部１４１、第１比較器１４２及びＮＰＮトランジスタ（第２スイッチング素子）１４３等々を含んで構成される給電路制御回路部１４０を備える。
【００１０】
このうち、定電流回路部１４１は、第１給電路Ｌ１によって給電される一方、ＮＰＮトランジスタ１４４を介してＧＮＤ電位に接続されている。このＮＰＮトランジスタ１４４は、第２給電路Ｌ２に直列接続された抵抗素子１４５及び１４６間の接続点にベースが接続されている。このように構成されているため、ＮＰＮトランジスタ１４４のベースに電流が流れるとき、換言すれば、イグニッションスイッチＩＧＳＷがオンとされるとき、定電流回路部１４１が駆動されて、第１比較器１４２に一定電流が供給されることになる。逆に、ＮＰＮトランジスタ１４４のベースに電流が流れないとき、換言すれば、イグニッションスイッチＩＧＳＷがオフとされるとき、定電流回路部１４１は停止する。
【００１１】
また、第１比較器１４２の非反転入力端子には、図示しない定電圧源が接続されており、バッテリＢの電圧の過度の低下を判定するための基準電圧Ｒｅｆ１（例えば「１［Ｖ］」）が入力されている。第１比較器１４２の反転入力端子には、第１給電路Ｌ１に直列接続された抵抗素子１４７及び１４８間の接続点が接続されており、抵抗素子１４７及び１４８によるバッテリＢの分圧が入力される。なお、これら抵抗素子１４７及び１４８の各抵抗値は、バッテリＢの電圧が例えば「１４［Ｖ］」であるとき、バッテリＢの分圧は「１［Ｖ］」よりも高い電圧になるように設定されている。また、第１比較器１４２の出力端子は、ＮＰＮトランジスタ１４３のベースに接続されている。さらに、ＮＰＮトランジスタ１４３は、そのコレクタが抵抗素子１４９を介してＰＮＰトランジスタ１３０のベースに接続されており、そのエミッタがＧＮＤ電位に接続されている。
【００１２】
このように構成されるため、例えばスタータモータがオンするなどしてバッテリＢの電圧が一時的に低下し、バッテリＢの分圧が基準電圧Ｒｅｆ１を下回るとき、出力端子から制御電流ｉ１をＮＰＮトランジスタ１４３のベースに出力することで、ＮＰＮトランジスタ１４３をオンとし、さらにＰＮＰトランジスタ１３０をオンとする。これにより、第１給電路Ｌ１及び第２給電路Ｌ２が電気的に接続され、接続点Ｐａにおける電圧よりも高い接続点Ｐｂにおける電圧によって副制御部１０に電流が供給されるようになる。そのため、イグニッションスイッチＩＧＳＷがオンとされた上でスタータモータがオンとされても、接続点Ｐａよりも高い接続点Ｐｂにおける電圧によって副制御部１０に電流が供給されるため、副制御部１０の動作に与える影響を低減することができるようになる。
【００１３】
しかしながら、こうした定電流回路部１４１、第１比較器１４２及びＮＰＮトランジスタ１４３を電源回路１００に備えたため、イグニッションスイッチＩＧＳＷがオンからオフにされるとき、第１比較器１４２からＮＰＮトランジスタ１４３に不定電流ｉ２が流れてしまうことがある。
【００１４】
詳しくは、イグニッションスイッチＩＧＳＷがオフとされると、これに伴って定電流回路部１４１がオフとなり、この定電流回路部１４１がオフとされると、これに伴って第１比較器１４２もオフとされる。また、図示を割愛しているが、第１比較器１４２内部には、一定電流を生成する素子が複数含まれており、第１比較器１４２がオフとされても、第１比較器１４２内部のそうした素子が全て同時にオフとなることが難しく、各素子がオフとされるタイミングにずれが生じる。そうしたオフされるタイミングのずれに起因して、第１比較器１４２の出力端子から不定電流ｉ２が流れてしまう。
【００１５】
そして、このような不定電流ｉ２がＮＰＮトランジスタ１４３のベースに流れると、ＮＰＮトランジスタ１４３がオンとされ、そのため、ＰＮＰトランジスタ１３０もオンとされる。このＰＮＰトランジスタ１３０がオンとされるため、第１給電路Ｌ１及び第２給電路Ｌ２が第３給電路によって互いに電気的に接続される。このとき、イグニッションスイッチＩＧＳＷはオフであるため、第２給電路Ｌ２はバッテリＢから給電されていない一方、第１給電路Ｌ１はバッテリＢから給電されており、接続点Ｐａにおける電圧は接続点Ｐｂにおける電圧よりも高い。したがって、主制御部２０には第１給電路Ｌ１によって電流が供給されるようになり、逆に、副制御部１０には第１給電路Ｌ１によって電流が供給されなくなってしまうことが起こり得る。なお、副制御部１０は、イグニッションスイッチＩＧＳＷがオフとされるときに主に各種処理を実行する制御部であるため、こうした不定電流ｉ２に起因するＰＮＰトランジスタ１３０の誤動作によって、副制御部１０自体、動作できなくなってしまう。
【００１６】
そこで、こうした不定電流ｉ２に起因して電源回路１００の誤動作が発生することを低減するべく、電源回路１００は、第２比較器１５１、抵抗素子１５２及び１５３並びにＮＰＮトランジスタ１５４等々を含んで構成される誤動作防止回路１５０を備える。
【００１７】
詳しくは、図７に示されるように、第２比較器１５１の非反転入力端子には、図示しない定電圧源が接続されており、基準電圧Ｒｅｆ２（例えば「１［Ｖ］」）が入力されている。第２比較器１５１の反転入力端子には、第４給電路Ｌ４に直列接続された抵抗素子１５２及び１５３間の接続点が接続されており、抵抗素子１５２及び１５３によるＶＯＭ電圧の分圧が入力される。なお、第４給電路Ｌ４は、第２定電圧回路部１２０（ひいては給電路Ｌ２）に接続されており、第２定電圧回路部１２０にて調整される電圧と同一のＶＯＭ電圧が給電されている。また、これら抵抗素子１５２及び１５３の各抵抗値は、スタータモータなどがオンするなどしてバッテリＢの電圧が一時的に急激に低下したとき（すなわち、第４給電路Ｌ４の電圧ＶＯＭが例えば「ＶＢ電圧−Ｖｃｅ［Ｖ］」であるとき）でも、ＶＯＭ電圧の分圧が「１［Ｖ］」よりも高い電圧になるように設定されている。
【００１８】
また、図示しないコンデンサ等に起因して、第２定電圧回路部１２０によって調整された電圧が低下しても、即座に第４給電路Ｌ４の電圧が低下するわけではなく、第２給電路Ｌ２の電圧の低下に遅れて第４給電路Ｌ４の電圧の低下が生じる。換言すれば、イグニッションスイッチＩＧＳＷのオフ後、第２比較器１５１は、第１比較器１４２よりも長く動作することが可能となっている。
【００１９】
そして、第２比較器１５１の出力端子はＮＰＮトランジスタ１５４のベースに接続されており、ＮＰＮトランジスタ１５４のエミッタはＧＮＤ電位に、ＮＰＮトランジスタ１５４のコレクタはＮＰＮトランジスタ１４３のベースと第１比較器１４２の出力端子との間に、それぞれ接続されている。
【００２０】
このように構成されているため、例えばスタータモータがオンするなどしてバッテリＢの電圧が一時的に急激に低下したとしても、第２比較器１５１の反転入力端子におけるＶＯＭ電圧の分圧の方が非反転入力端子における電圧よりも高いため、第２比較器１５１は、ＮＰＮトランジスタ１５４をオフとする。したがって、第１比較器１４２から出力される制御電流ｉ１は、ＮＰＮトランジスタ１４３を、ひいては、ＰＮＰトランジスタ１３０をオンとする。
【００２１】
また、イグニッションスイッチＩＧＳＷがオフとされるとき、第２比較器１５１の反転入力端子におけるＶＯＭ電圧の分圧の方が、非反転入力端子における電圧よりも低くなるため、第２比較器１５１の出力端子から所定の電流が出力され、ＮＰＮトランジスタ１５４がオンとされる。定電流回路回路１４１が停止するまでＮＰＮトランジスタ１５４はオンし続けるように制御されることで、第１比較器１４２の出力端子から出力される不定電流ｉ２は、ＮＰＮトランジスタ１４３のベースに流れることなく、ＮＰＮトランジスタ１５４に流れる。このようにして第２比較器１５１によって引き抜かれるため、不定電流ｉ２がＮＰＮトランジスタ１４３のベースを流れることはなく、ひいては、電源回路１００が誤動作することを防止することができるようになる。
【００２２】
図８に、こうした電源回路１００の動作例をタイミングチャートにて示す。なお、図８では、第１給電路Ｌ１における電圧をＢＡＴＴ電圧として実線にて、第２給電路Ｌ２における電圧をＶＢ電圧として破線にて、第４給電路Ｌ４における電圧をＶＯＭ電圧として一点鎖線にてそれぞれ示している。同様に、図８では、制御電流ｉ１を実線にて、不定電流ｉ２を二点鎖線にてそれぞれ示している。
【００２３】
当初、イグニッションスイッチＩＧＳＷがオフとされていたとする。この状態においては、図８に示すように、第１給電路Ｌ１がバッテリＢから常時給電を受けるため、ＢＡＴＴ電圧は「１４［Ｖ］」となっている。一方、第２給電路Ｌ２はバッテリＢから給電を受けていないため、ＶＢ電圧は「０［Ｖ］」となっている。同様に、ＶＯＭ電圧も「０［Ｖ］」となっている。
【００２４】
こうした状態において、例えば時刻ｔ１０１において、イグニッションスイッチＩＧＳＷがオンとされたとする。すると、ＢＡＴＴ電圧は時刻ｔ１０１前後において特に変動しないものの、ＶＢ電圧は時刻ｔ１０１から上昇開始してバッテリＢの電圧と同一の電圧に変化する。また、ＶＯＭ電圧はそうしたＶＢ電圧の変化にごく僅かに遅れて上昇開始し「５．０［Ｖ］」に変化する。
【００２５】
ここで、例えば時刻ｔ１０２において、スタータモータがオンとされたとする。すると、バッテリＢからスタータモータに大電流が供給されるため、ＢＡＴＴ電圧及びＶＢ電圧は共に、図８に示すように、「５．０［Ｖ］」付近まで急激に一時的に低下し、例えば時刻ｔ１０３前後において、そうした「５．０［Ｖ］」を下回ってしまう。このとき、第１比較器１４２は、図８に示すように、制御電流ｉ１をＮＰＮトランジスタ１４３のベースに出力することで、ＮＰＮトランジスタ１４３をオンとし、さらにＰＮＰトランジスタ１３０をオンとする。そのため、第１給電路Ｌ１及び第２給電路Ｌ２が電気的に接続され、接続点Ｐａにおける電圧よりも高い接続点Ｐｂにおける電圧によって副制御部１０に電流が供給されるようになる。そのため、イグニッションスイッチＩＧＳＷがオンとされた上でスタータモータがオンとされても、接続点Ｐａよりも高い接続点Ｐｂにおける電圧によって副制御部１０に電流が供給されるため、副制御部１０の動作に与える影響を低減することができる。
【００２６】
その後、スタータモータにバッテリＢから大電流を供給する必要がなくなるため、時刻ｔ１０３以後、ＢＡＴＴ電圧及びＶＢ電圧は徐々に回復し、例えば時刻ｔ１０４において当初のバッテリＢの電圧まで回復する。ちなみに、ＶＯＭ電圧は、図８に示すように、ＢＡＴＴ電圧及びＶＢ電圧に伴って変化する。
【００２７】
そして、例えば時刻ｔ１０５において、イグニッションスイッチＩＧＳＷがオフとされたとする。すると、ＢＡＴＴ電圧は時刻ｔ１０５前後においても特に変動しないものの、ＶＢ電圧は時刻ｔ１０５から下降開始してＧＮＤ電位と同一の電圧に変化する。また、ＶＯＭ電位は、図示しないコンデンサ等に起因して、ＶＢ電位の低下に伴って即座に低下するわけではなく、ＶＢ電位の低下開始にごく僅かに遅れて低下開始する。
【００２８】
ここで、例えば時刻ｔ１０６前後において、図８に示すように、第１比較器１４２から不定電流ｉ２が流れてしまう。しかしながら、こうした不定電流ｉ２は、第２比較器１５１によって引き抜かれるため、不定電流ｉ２がＮＰＮトランジスタ１４３のベースを流れることはなく、ひいては、電源回路１００が誤動作することを防止する。
【特許文献１】特開平１１−２７５７７０号公報
【発明の開示】
【発明が解決しようとする課題】
【００２９】
ところで、上記従来の電源回路１００は次のような課題を有する。すなわち、図７においては便宜上図示を割愛しているが、第２比較器１５１を単一の素子を用いて構成することは難しい。実際には、数十個程度のトランジスタ素子等を組み合わせて第２比較器１５１を構成する。電源回路１００としての上記構成では、不定電流ｉ２を引き抜くために、そうした多数の素子を必要とする第２比較器１５１を専用に備える必要があるため、電源回路１００を構成するには多数の素子が必要となってしまう。
【００３０】
本発明は、上記実情に鑑みてなされたものであって、その目的は、より簡素な構成でありながらも、不定電流に起因する誤動作の発生を低減することのできる電源回路を提供することにある。
【課題を解決するための手段】
【００３１】
こうした目的を達成するため、請求項１に記載の発明では、電源から給電を常時受ける第１給電路と該第１給電路によって給電される第１給電対象との間に介在し、第１給電路の電圧を第１電圧に調整する第１定電圧回路部と、電源スイッチがオンであるときにのみ前記電源から給電を受ける第２給電路と該第２給電路によって給電される第２給電対象との間に介在し、前記電源の電圧が所定の判定値を下回るとき、第２給電路の電圧を第１電圧よりも高い第２電圧に調整する第２定電圧回路部と、第１給電路及び第２給電路を接続する第３給電路の途中に設けられる第１スイッチング素子と、前記電源スイッチがオンであって、前記電源の電圧が前記所定値を下回るとき、第１スイッチング素子をオンとすることによって第３給電路を導通し、第２給電路及び導通した第３給電路によって第１給電対象に給電する給電路制御回路部と、前記電源スイッチがオフとされるとき、前記給電路制御回路部内で発生する不定電流に起因して第１スイッチング素子がオンとされ、第１給電路によって第２給電対象を給電する当該電源回路の誤動作を防止する誤動作防止回路部とを備える電源回路として、前記誤動作防止回路部は、前記電源スイッチのスイッチ状態の監視に基づいて、前記不定電流のＧＮＤ電位への流路を前記不定電流の発生前に電気的に遮断することとした。
【００３２】
電源回路としての上記構成では、電源スイッチがオフとされると、不定電流のＧＮＤ電位への流路を不定電流が発生する前に電気的に遮断する。ＧＮＤ電位への流路が断たれるため、不定電流は流れることができなくなり、そもそも不定電流自体が発生しなくなる。不定電流が発生しなくなると、不定電流に起因して第１スイッチング素子がオンとされることもなくなり、ひいては、当該電源回路の誤動作が防止されることになる。このような電源スイッチのスイッチ状態の監視や、不定電流のＧＮＤ電位への流路の電気的な遮断は、従来の電源回路とは異なり、簡素な構成にて実現することができる。したがって、電源回路としての上記構成によれば、より簡素な構成でありながらも、不定電流に起因する誤動作の発生を低減することができるようになる。
【００３３】
具体的には、上記請求項１に記載の構成において、例えば請求項２に記載の発明のように、前記給電路制御回路部は、第１給電路によって給電されつつ、前記電源スイッチのスイッチ状態に連動して駆動され、一定電流を生成出力する定電流回路部と、前記定電流回路から一定電流の供給を受けて、前記電源の電圧が所定の判定値を下回るとき、第１スイッチング素子をオンとするための第２スイッチング素子に制御電流を出力する第１比較器とを含んで構成され、前記誤動作防止回路部は、前記電源スイッチのスイッチ状態を監視する電源スイッチ監視回路部と、第２スイッチング素子とＧＮＤ電位との間に介在する第１防止回路部とを含んで構成されることが望ましい。これにより、既存の電源回路の回路構成を僅かに変更するだけでよいため、電源回路を容易に実現することができるようになる。
【００３４】
あるいは、上記請求項１に記載の構成において、例えば請求項３に記載の発明のように、前記給電路制御回路部は、第１給電路によって給電されつつ、前記電源スイッチのスイッチ状態に連動して駆動され、一定電流を生成出力する定電流回路部と、前記定電流回路から一定電流の供給を受けて、前記電源の電圧が所定の判定値を下回るとき、第１スイッチング素子をオンとするための第２スイッチング素子に制御電流を出力する第１比較器とを含んで構成され、前記誤動作防止回路部は、前記電源スイッチのスイッチ状態を監視する電源スイッチ監視回路部と、第１比較器と第２スイッチング素子との間に介在する第１防止回路部とを含んで構成されることが望ましい。これによっても、上記請求項２に記載の構成と同様に、電源回路を容易に実現することができるようになる。なお、上記請求項３に記載の構成は、上記請求項２に記載の構成と併用することもできる。併用した場合にあっては、電源回路の構成が若干複雑になるように思われるが、背景技術の欄に記載したような従来技術と比較すれば、簡素な構成にて電源回路を実現することができる。
【００３５】
また、上記請求項２または３に記載の構成において、例えば請求項４に記載の発明のように、第１防止回路部及び第２防止回路部は、トランジスタ素子もしくはアナログスイッチであることとしてもよい。
【００３６】
一方、上記目的を達成するため、請求項５に記載の発明では、電源から給電を常時受ける第１給電路と該第１給電路によって給電される第１給電対象との間に介在し、第１給電路の電圧を第１電圧に調整する第１定電圧回路部と、電源スイッチがオンであるときにのみ前記電源から給電を受ける第２給電路と該第２給電路によって給電される第２給電対象との間に介在し、前記電源の電圧が所定の判定値を下回るとき、第２給電路の電圧を第１電圧よりも高い第２電圧に調整する第２定電圧回路部と、第１給電路及び第２給電路を接続する第３給電路の途中に設けられる第１スイッチング素子と、前記電源スイッチがオンであって、前記電源の電圧が前記所定の判定値を下回るとき、第１スイッチング素子をオンとすることによって第３給電路を導通し、第２給電路及び導通した第３給電路によって第１給電対象に給電する給電路制御回路部と、前記電源スイッチがオフとされるとき、前記給電路制御回路部内で発生する不定電流に起因して第１スイッチング素子がオンとされ、第１給電路によって第２給電対象を給電する当該電源回路の誤動作を防止する誤動作防止回路部とを備える電源回路として、前記誤動作防止回路部は、前記電源スイッチのスイッチ状態の監視に基づいて、前記不定電流の発生前に第３給電路を電気的に遮断することとした。
【００３７】
電源回路としての上記構成では、電源スイッチがオフとされると、不定電流が発生する前に第３給電路を電気的に遮断する。すなわち、上記構成では、上記請求項１〜４に記載の構成とは異なり、電源スイッチがオフとされると、不定電流自体は発生する。しかしながら、この不定電流に起因して第１スイッチング素子がオンとされたとしても、第３給電路が先に電気的に遮断されるため、第１給電路によって第２給電対象が給電されるようなことはできず、当該電源回路の誤動作を防止することができるようになる。このような電源スイッチのスイッチ状態の監視や、第３給電路の電気的な遮断は、従来の電源回路とは異なり、簡素な構成にて実現することができる。したがって、電源回路としての上記構成によっても、より簡素な構成でありながら、不定電流に起因する誤動作の発生を低減することができるようになる。
【００３８】
具体的には、上記請求項５に記載の構成において、例えば請求項６に記載の発明のように、前記給電路制御回路部は、第１給電路によって給電されつつ、前記電源スイッチのスイッチ状態に連動して駆動され、一定電流を生成出力する定電流回路部と、前記定電流回路から一定電流の供給を受けて、前記電源の電圧が所定の判定値を下回るとき、第１スイッチング素子をオンとするための第２スイッチング素子に制御電流を出力する第１比較器とを含んで構成され、前記誤動作防止回路部は、前記電源スイッチのスイッチ状態を監視する電源スイッチ監視回路部と、第１スイッチング素子よりも第１給電路側の第３給電路に設けられる第３防止回路部とを含んで構成されることが望ましい。これにより、既存の電源回路の回路構成を僅かに変更するだけでよいため、電源回路を容易に実現することができるようになる。
【００３９】
あるいは、上記請求項５に記載の構成において、例えば請求項７に記載の発明のように、前記給電路制御回路部は、第１給電路によって給電されつつ、前記電源スイッチのスイッチ状態に連動して駆動され、一定電流を生成出力する定電流回路部と、前記定電流回路から一定電流の供給を受けて、前記電源の電圧が所定の判定値を下回るとき、第１スイッチング素子をオンとするための第２スイッチング素子に制御電流を出力する第１比較器とを含んで構成され、前記誤動作防止回路部は、前記電源スイッチのスイッチ状態を監視する電源スイッチ監視回路部と、第１スイッチング素子よりも第２給電路側の第３給電路に設けられる第４防止回路部とを含んで構成されることが望ましい。これによっても、上記請求項６に記載の構成と同様に、電源回路を容易に実現することができるようになる。なお、上記請求項７に記載の構成は、上記請求項５に記載の構成と併用することもできる。併用した場合にあっては、電源回路の構成が若干複雑になるように思われるが、背景技術の欄に記載したような従来技術と比較すれば、簡素な構成にて電源回路を実現することができる。
【００４０】
また、上記請求項６または７に記載の構成において、例えば請求項８に記載の発明のように、第３防止回路部及び第４防止回路部は、トランジスタ素子もしくはアナログスイッチであることとしてもよい。
【発明を実施するための最良の形態】
【００４１】
以下、本発明に係る電源回路の一実施の形態について、図１及び図２を参照して説明する。なお、図１は、本実施の形態の電源回路について、その全体構成の一例を示す等価回路図である。この図１に示すように、本実施の形態は、先の図７に示した従来の電源回路に準じた構成を有している。
【００４２】
すなわち、電源回路１は、図１に示すように、例えば「１４［Ｖ］」の直流電圧を生成出力するバッテリ（電源）Ｂから給電を常時受ける第１給電路Ｌ１と第１給電路Ｌ１によって給電される副制御部（サブマイコン）１０との間に介在し、第１給電路Ｌ１の電圧を第１電圧に調整する第１定電圧回路部１１０を備える。また、電源回路１は、イグニッションスイッチ（電源スイッチ）ＩＧＳＷがオンであるときにのみバッテリＢから給電を受ける第２給電路Ｌ２とこの第２給電路Ｌ２によって給電される主制御部（メインマイコン）２０との間に介在し、バッテリＢの電圧が所定の判定値を下回るとき、第２給電路Ｌ２の電圧を第１電圧よりも高い第２電圧に調整する第２定電圧回路部１２０とを備える。また、電源回路１は、第１給電路Ｌ１及び第２給電路Ｌ２を接続する第３給電路Ｌ３の途中に設けられ、オンとされるときにのみこれら第１給電路Ｌ１及び第２給電路Ｌ２を電気的に接続するＰＮＰトランジスタ（第１スイッチング素子）１３０と、このＰＮＰトランジスタ１３０のオンオフを制御するための給電路制御回路部１４０とを備える。こうした構成要素については、従来の電源回路１００の構成要素と同一であるため、ここでの重複する説明を割愛する。
【００４３】
本実施の形態の電源回路１では、従来の電源回路１００と同様に、イグニッションスイッチＩＧＳＷがオンからオフにされるとき、給電路制御回路部１４０内で、第１比較器１４２からＮＰＮトランジスタ１４３に不定電流ｉ２が流れてしまう。
【００４４】
そこで、本実施の形態では、こうした不定電流ｉ２に起因して電源回路１の誤動作が発生することを低減するべく、電源回路１は、イグニッションスイッチＩＧＳＷのスイッチ状態を監視する電源スイッチ監視回路部と、ＮＰＮトランジスタ１４３（第２スイッチング素子）とＧＮＤ電位との間に介在する第１防止回路部とを含んで構成される誤動作防止回路部５０を備える。
【００４５】
詳しくは、本実施の形態では、電源スイッチ監視回路部として抵抗素子５１が採用されており、第１防止回路部としてＮＰＮトランジスタ５３が採用されている。図１に示すように、抵抗素子５１は、一端が抵抗素子１４６及び１４５を介して第２給電路Ｌ２に接続されており、その他端がＧＮＤ電位に接続されている。また、ＮＰＮトランジスタ５３のベースはそうした抵抗素子５１及び抵抗素子１４６間の接続点に、ＮＰＮトランジスタ５３のエミッタはＧＮＤ電位に、ＮＰＮトランジスタ５３のコレクタは、ＮＰＮトランジスタ１４３のエミッタにそれぞれ接続されている。
【００４６】
以上のように構成された電源回路１では、イグニッションスイッチＩＧＳＷがオンとされると、第２給電路Ｌ２によって給電される電圧の、抵抗素子５１並びに抵抗素子１４５及び１４６による分圧が抵抗素子５２に印加される。そして、この分圧がＮＰＮトランジスタ５３のスレッショルド電圧以上となると、ＮＰＮトランジスタ５３のベースに電流が流れ、ＮＰＮトランジスタ５３がオンとされる。ＮＰＮトランジスタ５３がオンとされると、ＮＰＮトランジスタ１４３のエミッタがＮＰＮトランジスタ５３のコレクタに接続されているため、第１比較器１４２の出力端子から出力される制御電流ｉ１のＧＮＤ電位への流路が形成されることになる。
【００４７】
逆に、イグニッションスイッチＩＧＳＷがオフとされ、上記分圧がＮＰＮトランジスタ５３のスレッショルド電圧を下回ると、ＮＰＮトランジスタ５３のベースに電流が流れなくなり、ＮＰＮトランジスタ５３はオフとされる。ＮＰＮトランジスタ５３がオフとされると、不定電流ｉ２のＧＮＤ電位への流路は電気的に遮断されることになる。
【００４８】
また、イグニッションスイッチＩＧＳＷがオンとされると、第２給電路Ｌ２によって給電される電圧の、抵抗素子１４５並びに抵抗素子１４６及び抵抗素子５１による分圧がＮＰＮトランジスタ１４４のベースに印加される。そして、この分圧がＮＰＮトランジスタ１４４のスレッショルド電圧以上となると、ＮＰＮトランジスタ１４４のベースに電流が流れ、ＮＰＮトランジスタ１４４がオンとされる。ＮＰＮトランジスタ１４４がオンとされると、定電流回路部１４１が駆動されるため、第１比較器１４２も駆動されることになる。
【００４９】
逆に、イグニッションスイッチＩＧＳＷがオフとされ、上記分圧がＮＰＮトランジスタ１４４のスレッショルド電圧を下回ると、ＮＰＮトランジスタ１４４のベースに電流が流れなくなり、ＮＰＮトランジスタ１４４はオフとされる。ＮＰＮトランジスタ１４４がオフとされると、定電流回路部１４１が停止されるため、第１比較器１４２もオフとされることになる。そして、第１比較器１４２がオフにされると、出力端子から不定電流ｉ２が流れようとする。
【００５０】
ここで、抵抗素子５１及び抵抗素子１４６間における分圧は、抵抗素子１４６及び抵抗素子１４５間における分圧よりも低い。そのため、イグニッションスイッチＩＧＳＷがオフとされると、ＮＰＮトランジスタ１４４よりも先にＮＰＮトランジスタ５３がオフとされる。すなわち、イグニッションスイッチＩＧＳＷがオフとされると、「ＮＰＮトランジスタ５３→ＮＰＮトランジスタ１４４→定電流回路部１４１→第１比較器１４２」といった順序にてオフとされることになる。したがって、不定電流ｉ２のＧＮＤ電位への流路「第１比較器１４２の出力端子→ＮＰＮトランジスタ１４３のベース→ＮＰＮトランジスタ１４３のエミッタ→ＮＰＮトランジスタ５３のコレクタ→ＮＰＮトランジスタ５３のエミッタ→ＧＮＤ電位」は、不定電流ｉ２が発生する前に電気的に遮断されることになる。そして、不定電流ｉ２が発生する前にＧＮＤ電位への流路が電気的に遮断されると、そもそも、不定電流ｉ２自体が発生しなくなる。不定電流ｉ２が発生しなくなると、不定電流ｉ２に起因してＮＰＮトランジスタ１４３がオンとされることもなくなり、ひいては、当該電源回路１の誤動作が防止されることになる。
【００５１】
図２に、こうした電源回路１の動作例をタイミングチャートにて示す。なお、図２でも、先の図８と同様に、第１給電路Ｌ１における電圧をＢＡＴＴ電圧として実線にて、第２給電路Ｌ２における電圧をＶＢ電圧として破線にて、制御電流ｉ１を実線にて、それぞれ示している。なお、図２に示す電源回路１の時刻ｔ１１から時刻ｔ１４までの動作は、先の図８に示す電源回路１００の時刻ｔ１０１から時刻ｔ１０４と全く同一となっている。そのため、ここでの重複する説明を割愛する。
【００５２】
例えば時刻ｔ１５において、イグニッションスイッチＩＧＳＷがオフとされたとする。すると、ＢＡＴＴ電圧は時刻ｔ１５前後においても特に変動しないものの、ＶＢ電圧は時刻ｔ１５から下降開始してＧＮＤ電位と同一の電圧に変化する。
【００５３】
こうしたＶＢ電圧の下降中、例えば時刻ｔ１６において、ＮＰＮトランジスタ５３がＮＰＮトランジスタ１４４よりも先にオフとされ、不定電流ｉ２のＧＮＤ電位への流路が電気的に遮断される。その後、例えば時刻ｔ１７において、ＮＰＮトランジスタ１４４がオフとされたことに伴って定電流回路部１４１が停止され、第１比較器１４２から不定電流ｉ２が発生しようとする。しかしながら、既に不定電流ｉ２のＧＮＤ電位への流路が電気的に遮断されているため、不定電流ｉ２はそもそも発生していない。不定電流ｉ２が発生しないため、不定電流ｉ２に起因してＮＰＮトランジスタ１４３がオンとされることもなく、当該電源回路１の誤動作が防止されている。
【００５４】
以上説明した本実施の形態の電源回路１００では、イグニッションスイッチＩＧＳＷがオフとされると、不定電流ｉ２のＧＮＤ電位への流路を不定電流ｉ２が発生する前に電気的に遮断する。ＧＮＤ電位への流路が断たれるため、不定電流ｉ２は流れることができなくなり、そもそも不定電流ｉ２自体が発生しなくなる。不定電流ｉ２が発生しなくなると、不定電流ｉ２に起因してＰＮＰトランジスタ１３０がオンとされることもなくなり、ひいては、当該電源回路１の誤動作が防止されることになる。このようなイグニッションスイッチＩＧＳＷのスイッチ状態の監視や、不定電流ｉ２のＧＮＤ電位への流路の電気的な遮断は、従来の電源回路１００とは異なり、抵抗素子５１及びＮＰＮトランジスタ５３という簡素な構成にて実現することができる。したがって、より簡素な構成でありながらも、不定電流ｉ２に起因する誤動作の発生を低減することができるようになる。
【００５５】
なお、本発明に係る電源回路は、上記実施の形態にて例示した構成に限定されるものではなく、本発明の趣旨を逸脱しない範囲において、種々に変形して実施することが可能である。すなわち、上記実施の形態を適宜変更した例えば次の形態として実施することもできる。
【００５６】
上記実施の形態では、電源スイッチ監視回路部として抵抗素子５１を採用し、第１防止回路部としてＮＰＮトランジスタ５３を採用していたが、これに限らない。図１に対応する図として図３に示すように、イグニッションスイッチ監視回路部５１ａ及び第１防止回路部５３ａとして、バイポーラトランジスタやＭＯＳトランジスタあるいはアナログスイッチなどを採用した電源回路１ａとすることもできる。これによっても、上記実施の形態に準じた効果を得ることができる。
【００５７】
上記実施の形態（変形例を含む）では、ＮＰＮトランジスタ５３あるいは第１防止回路部５３ａは、ＮＰＮトランジスタ１４３のエミッタとＧＮＤ電位との間に介在することとしていたが、所在についてはここに限らない。他に例えば、図１及び図３に対応する図として図４に示すように、第１比較器１４２の出力端子とＮＰＮトランジスタ１４３のベースとの間に介在する第２防止回路部５３ｂを採用した電源回路１ｂとすることもできる。これによっても、電源回路を容易に実現することができるようになる。なお、図示を割愛するが、第１防止回路部５３ａ（図３参照）及び第２防止回路部５３ｂ（図４参照）を併用することもできる。この場合、電源回路の構成が若干複雑になるようにも思われるが、背景技術の欄に記載した従来の電源回路１００よりも簡素な構成にて電源回路を実現することができる。要は、誤動作防止回路部は、イグニッションスイッチＩＧＳＷのスイッチ状態の監視に基づいて、不定電流ｉ２のＧＮＤ電位への流路を不定電流ｉ２の発生前に電気的に遮断することとすれば、その回路構成は任意である。
【００５８】
また、上記実施の形態（変形例を含む）では、誤動作防止回路部は、イグニッションスイッチのスイッチ状態の監視に基づいて、不定電流ｉ２のＧＮＤ電位への流路を不定電流ｉ２の発生前に電気的に遮断することとしていたが、これにも限らない。図１、図３及び図４に対応する図として図５に示すように、ＰＮＰトランジスタ１３０よりも第１給電路Ｌ１側の第３給電路Ｌ３に第３防止回路部５３ｃを設け、イグニッションスイッチＩＧＳＷのスイッチ状態の監視に基づいて、不定電流ｉ２の発生前に第３給電路を電気的に遮断する電源回路２としてもよい。こうした電源回路２では、イグニッションスイッチＩＧＳＷがオフとされると、不定電流ｉ２のＧＮＤ電位への流路を不定電流ｉ２が発生する前に第３給電路Ｌ３を電気的に遮断する。すなわち、電源回路２では、電源回路１〜１ｂとは異なり、イグニッションスイッチＩＧＳＷがオフとされると、不定電流Ｉ２自体は発生する。しかしながら、この不定電流ｉ２に起因してＰＮＰトランジスタ１３０がオンとされたとしても、第３給電路Ｌ３が先に電気的に遮断されるため、第１給電路Ｌ１によって主制御部２０が給電されてしまい、本来給電しなければならない副制御部１０を給電することができないといった状況にはならず、当該電源回路２の誤動作を防止することができるようになる。このようなイグニッションスイッチＩＧＳＷのスイッチ状態の監視や、第３給電路Ｌ３の電気的な遮断は、従来の電源回路１００とは異なり、簡素な構成にて実現することができる。したがって、電源回路２によっても、より簡素な構成でありながら、不定電流ｉ２に起因する誤動作の発生を低減することができるようになる。また、第３防止回路部５３ｃとしては、バイポーラトランジスタやＭＯＳトランジスタあるいはアナログスイッチなどを採用することができる。
【００５９】
上記実施の形態（変形例を含む）では、第３防止回路部５３ｃは、ＰＮＰトランジスタ１３０よりも第１給電路Ｌ１側の第３給電路Ｌ３に設けられていたが、所在についてはここに限らない。他に例えば、図５に対応する図として図６に示すように、ＰＮＰトランジスタ１３０よりも第２給電路Ｌ２側の第３給電路Ｌ３に設けられた第４防止回路部５３ｄを有する電源回路２ａとしてもよい。これによっても、電源回路２に準じた効果を得ることができるようになる。なお、図示を割愛するが、第３防止回路部５３ｃ及び第４防止回路部５３ｄを併用することもできる。併用した場合にあっては、電源回路の構成が若干複雑になるように思われるが、背景技術の欄に記載したような従来技術と比較すれば、簡素な構成にて電源回路を実現することができる。要は、誤動作防止回路部は、イグニッションスイッチＩＧＳＷのスイッチ状態の監視に基づいて、不定電流ｉ２の発生前に第３給電路Ｌ３を電気的に遮断することとすれば、その回路構成は任意である。
【００６０】
上記実施の形態（変形例を含む）では、誤動作防止回路部は、イグニッションスイッチＩＧＳＷのスイッチ状態の監視に基づいて、不定電流ｉ２のＧＮＤ電位への流路を不定電流ｉ２の発生前に電気的に遮断する、あるいは、イグニッションスイッチＩＧＳＷのスイッチ状態の監視に基づいて、不定電流ｉ２の発生前に第３給電路Ｌ３を電気的に遮断することとしていたがこれにも限られない。これらを併用する、すなわち、誤動作防止回路部は、イグニッションスイッチＩＧＳＷのスイッチ状態の監視に基づいて、不定電流ｉ２のＧＮＤ電位への流路を不定電流ｉ２の発生前に電気的に遮断するとともに、不定電流ｉ２の発生前に第３給電路Ｌ３を電気的に遮断することとしてもよい。このように併用した場合にあっては、電源回路の構成が若干複雑になるように思われるが、背景技術の欄に記載したような従来技術と比較すれば、簡素な構成にて電源回路を実現することができる。
【図面の簡単な説明】
【００６１】
【図１】本発明に係る電源回路の一実施の形態について、その全体構成の一例を示す等価回路図。
【図２】一実施の形態の電源回路について、その動作の一例を示すタイミングチャート。
【図３】電源回路の変形例について、その全体構成の一例を示す等価回路図。
【図４】電源回路の他の変形例について、その全体構成の一例を示す等価回路図。
【図５】電源回路のその他の変形例について、その全体構成の一例を示す等価回路図。
【図６】電源回路のさらに他の変形例について、その全体構成の一例を示す等価回路図。
【図７】従来一般に知られている電源回路について、その全体構成の一例を示す等価回路図。
【図８】従来一般に知られている電源回路について、その動作の一例を示すタイミングチャート。
【符号の説明】
【００６２】
１〜２ａ、１００…電源回路、１０…サブマイコン（副制御部）、２０…メインマイコン（主制御部）、５０、１５０…誤動作防止回路部、５１、５２…抵抗素子、５３…ＮＰＮトランジスタ、５３ａ…第１防止回路部、５３ｂ…第２防止回路部、５３ｃ…第３防止回路部、５３ｄ…第４防止回路部、１１０…第１定電圧回路部、１１０ａ、１２０ａ…定電圧源、１１０ｂ、１２０ｂ……オペアンプ、１１０ｃ…ＮＰＮトランジスタ、１２０ｃ…ＰＮＰトランジスタ、１３０…ＰＮＰトランジスタ（第１スイッチング素子）、１４０…給電路制御回路部、１４１…定電流回路部、１４２…第１比較器、１４３…ＮＰＮトランジスタ（第２スイッチング素子）、１４４…ＮＰＮトランジスタ、１４５〜１４９…抵抗素子、ＩＧＳＷ…イグニッションスイッチ、Ｂ…バッテリ（電源）、Ｐａ…第１接続点、Ｐｂ…第２接続点、Ｌ１…第１給電路、Ｌ２…第２給電路、Ｌ３…第３給電路、Ｌ４…第４給電路。
【図１】
2009189162.tif 000003
【図２】
2009189162.tif 000004
【図３】
2009189162.tif 000005
【図４】
2009189162.tif 000006
【図５】
2009189162.tif 000007
【図６】
2009189162.tif 000008
【図７】
2009189162.tif 000009
【図８】
2009189162.tif 000010